(57)【要約】【課題】カバーの取り付けの作業性を向上させる。【解決手段】カバー３０は、本体カバー３１と蓋カバー３２とに二つ割りされ、ヒンジ３３により開閉可能に連結される。本体カバー３１の取付端３５には、嵌合溝４５が開口された左右一対の保持板４３が突設され、雌ハウジング２０の後面に設けられた取付壁２７の左右の外側面に嵌められて、そこに設けられた突片２８を嵌合溝４５に嵌めることで、本体カバー３１が雌ハウジング２０の後面に仮保持される。続いて、一束にまとめられた電線１５が直角に曲げられて本体カバー３１内に嵌められ、最後に蓋カバー３２をヒンジ３３から本体カバー３１の上面に向けて折り返して、ロック片５７，５７Ｌのロック孔５９内に対応するロック突部５３，５３Ｌを嵌めることで、両カバー３１，３２が合体状態にロックされる。【選択図】　図１０
2004127813.tif 000002
【特許請求の範囲】
【請求項１】
電線の端末に固着された端子金具が挿入されるコネクタハウジングの後面には、この後面から引き出された電線を覆う筒状のカバーが装着されたコネクタにおいて、
前記カバーが、合体して筒状をなす一対の分割カバーにより構成され、両分割カバーのうちの一方の分割カバーには、前記コネクタハウジングの後面に保持可能な保持手段が設けられるとともに、両分割カバーの間には、両分割カバーを合体状態にロックするロック手段が前記保持手段とは別に設けられていることを特徴とするコネクタ。
【請求項２】
前記カバーは、電線を屈曲しつつ挿通して引き出された方向とは交差した方向に導出可能となっていることを特徴とする請求項１記載のコネクタ。
【請求項３】
前記両分割カバーがヒンジを介して開閉可能に連結されていることを特徴とする請求項１または請求項２記載のコネクタ。
【請求項４】
前記ロック手段が、前記保持手段を押さえて保持状態に維持すべく前記保持手段の近傍に設けられていることを特徴とする請求項１ないし請求項３のいずれかに記載のコネクタ。
【請求項５】
前記カバーにおける電線が導出される側の端部には、コルゲートチューブの外周に嵌まって抜け止めする係止部が設けられていることを特徴とする請求項１ないし請求項４のいずれかに記載のコネクタ。
【発明の詳細な説明】
【０００１】
【発明の属する技術分野】
本発明は、電線カバーを備えたコネクタに関する。
【０００２】
【従来の技術】
この種の電線カバー付きのコネクタは、例えばコネクタの取付位置によりその後面側に十分な配線スペースが確保できなくて、ハウジングの後面の直後で電線を屈曲配線する必要がある場合や、ハウジングの後面側をカバーで簡易防水する場合等に利用されており、従来その一例として、特許文献１に記載されたものが知られている。
このものは、電線の端末に固着された端子金具が後面側から挿入されるハウジングと、このハウジングの後端部にＬ型の筒状をなすように取り付けられる二つ割りのカバーとから構成されており、ハウジングの後面から引き出された電線が、カバー内を通って直角に屈曲された方向に導出されるようになっている。
【０００３】
【特許文献１】
特開２０００−１５００５９公報
【０００４】
【発明が解決しようとする課題】
ここで、上記従来例におけるカバーの取付構造は、各分割カバーにおけるハウジングへの取付側の端部に、ハウジングの後端部の外周に位置決めされて嵌まる半割りの嵌合筒が設けられる一方、各分割カバーの突き合わせ端縁に、ロック片とロック突部とからなる複数のロック手段が設けられた構造であり、端的には、両分割カバーを合わせてロックして初めて、カバー自体もハウジングの後端部に取り付けられるようになっていた。
【０００５】
したがって実際の組み付けに際しては、ハウジング内に端子金具を挿入したのち、一方の分割カバーを手で支えてその中に引き出された電線を屈曲させつつ嵌め、場合によっては電線の外周に嵌装されたコルゲートチューブを導出端側に嵌め、続いて両分割カバーを合わせて、それぞれの嵌合筒をハウジングの後端部に嵌めつつ、両分割カバー間のロックを掛ける必要があり、作業がし難くて手間が掛かるという問題があった。しかも近年は、コネクタすなわちカバーが小型化する傾向にあるために、作業のし難さがより顕著となっていた。
本発明は上記のような事情に基づいて完成されたものであって、その目的は、カバーの取り付けの作業性を向上させるところにある。
【０００６】
【課題を解決するための手段】
上記の目的を達成するための手段として、請求項１の発明は、電線の端末に固着された端子金具が挿入されるコネクタハウジングの後面には、この後面から引き出された電線を覆う筒状のカバーが装着されたコネクタにおいて、前記カバーが、合体して筒状をなす一対の分割カバーにより構成され、両分割カバーのうちの一方の分割カバーには、前記コネクタハウジングの後面に保持可能な保持手段が設けられるとともに、両分割カバーの間には、両分割カバーを合体状態にロックするロック手段が前記保持手段とは別に設けられている構成としたところに特徴を有する。
【０００７】
請求項２の発明は、請求項１に記載のものにおいて、前記カバーは、電線を屈曲しつつ挿通して引き出された方向とは交差した方向に導出可能となっているところに特徴を有する。
請求項３の発明は、請求項１または請求項２に記載のものにおいて、前記両分割カバーがヒンジを介して開閉可能に連結されているところに特徴を有する。
請求項４の発明は、請求項１ないし請求項３のいずれかに記載のものにおいて、前記ロック手段が、前記保持手段を押さえて保持状態に維持すべく前記保持手段の近傍に設けられているところに特徴を有する。
請求項５の発明は、請求項１ないし請求項４のいずれかに記載のものにおいて、前記カバーにおける電線が導出される側の端部には、コルゲートチューブの外周に嵌まって抜け止めする係止部が設けられているところに特徴を有する。
【０００８】
【発明の作用及び効果】
＜請求項１の発明＞
組付けの一例としては、コネクタハウジング内に端子金具を挿入したら、一方の分割カバーを保持手段によりコネクタハウジングの後面に保持し、続いて、この保持された分割カバー内に引き出された電線を嵌め、最後に他方の分割カバーを合わせてロック手段によりロックする。これによりカバーの取り付けが完了し、それに伴いコネクタハウジングの後面から引き出された電線がカバー内を通って所定方向に導出される。
一方の分割カバーをコネクタハウジングに対して、所定の位置に予め保持できる構造としたから、この分割カバーを格別に支えていなくても、引き続いて引き出された電線を嵌めることと、両分割カバーを合わせてロックすることを簡単にかつスムーズに行うことができ、すなわちカバーの取付作業を能率良く行うことができる。
【０００９】
＜請求項２の発明＞
いわゆる横出しタイプのものにあっても、特に分割カバー内に電線を嵌める作業が簡単にできる。
＜請求項３の発明＞
組み付け作業がさらに簡略化でき、また部品点数が削減できることでコスト低減が図られる。
＜請求項４の発明＞
両分割カバー間のロックを行うことに伴って保持手段が押さえられ、言わば二重に保持されることになって、カバーをコネクタハウジングに対してより強固に取り付けることができる。
＜請求項５の発明＞
電線の外周に嵌装されたコルゲートチューブをカバーの導出端に装着する場合も、コルゲートチューブをまずコネクタハウジングに保持された側の分割カバーの係止部に嵌め、続いてもう一方の分割カバーを閉じると、両分割カバーの係止部がコルゲートチューブの外周に嵌まって抜け止めした状態となり、すなわちコルゲートチューブの装着作業も簡単にできる。
【００１０】
【発明の実施の形態】
以下、本発明の一実施形態を図１ないし図１７に基づいて説明する。
この実施形態では雌側の防水コネクタを例示しており、例えば機器から突設された相手の雄コネクタと嵌合されるようになっており、図１に示すように、５本の雌端子１０を収容可能とした雌側のコネクタハウジング２０（以下、雌ハウジングという）と、この雌ハウジング２０の後面に装着される横出しタイプのカバー３０（図５等）とから構成されている。
雌端子１０は、導電性に優れた金属板をプレス加工することで形成され、相手の雄コネクタに収容された雄端子と接触される接触片を収容した角筒形の接続部１１を有し、その後方に形成されたバレル１２をかしめることで、防水ゴム栓１３ともども電線１５の端末に圧着されている。
【００１１】
雌ハウジング２０は合成樹脂製であって、図２ないし図４にも示すように、横長の正面形状をなすタワー部２１を有し、その回りにフード部２２が形成されている。タワー部２１内には、上記した雌端子１０を後方から挿入可能なキャビティ２３が、５個横方向に並んで形成され、雌端子１０が正規位置まで挿入されると、キャビティ２３の壁面に設けられたランス（図示せず）で抜け止めされるようになっている。
フード部２２の天井面には、相手の雄コネクタとの間を嵌合状態にロックするためのロックアーム２５が設けられている。
【００１２】
なお、雌ハウジング２０の後面から引き出された５本の電線１５は、後記するように１本に束ねられてカバー３０内に挿通されるが、カバー３０との間の防水を図るために、束ねられた電線１５には、所定長さのコルゲートチューブ１７（図１３参照）が嵌装されるようになっている。コルゲートチューブ１７は、外周面に周方向の溝１７Ａと突条１７Ｂとを軸線方向に沿って交互に設けた形状であって、適度の可撓性を有するものである。
【００１３】
雌ハウジング２０の後面側には、カバー３０が装着可能とされている。そのため上記したフード部２２の背面には、図１及び図３に示すように、並んだキャビティ２３の入口２３Ａの左右両側から下側を囲むようにして取付壁２７が形成されている。なお、取付壁２７の上辺部分が切除されているのは、ロックアーム２５の操作端２６側の傾動を許容するためである。
取付壁２７における左右の外側面には、その後縁（図１の手前側）におけるほぼ中央高さ位置に、一対の突片２８が対称に張り出し形成されている。また、突片２８における上下の面の付け根位置には、取付壁２７の壁面側に凹んだ凹部２９が形成されている。
【００１４】
カバー３０は同じく合成樹脂製であって、図５ないし図８に示すように、二つ割りされた本体カバー３１と蓋カバー３２とがヒンジ３３を介して開閉可能に形成されている。詳しくは後記するように、両カバー３１，３２が正規に合体されると、図１３に参照して示すように、Ｌ型でかつ屈曲部分の外側を斜めに削ったような外形の角筒形をなし、一端の開口の広い側が雌ハウジング２０への取付端３５となり、他端の開口の狭い側が電線１５を外部に導き出す導出端３６となり、取付端３５と導出端３６とは直交して配されている。
【００１５】
より詳細には、本体カバー３１は、底板３８の両側縁に沿って取付端３５から導出端３６にわたり側壁３９が立ち上がり形成されている。ただし、導出端３６側の側壁３９Ａは他と比べて約半分の背の高さとされている。また、導出端３６側の内面には、上記したコルゲートチューブ１７の溝１７Ａ内に嵌まる半円状の係止突条４０が３条形成されている。
そして、両側壁３９の取付端３５側の縁部には、上記した雌ハウジング２０の取付壁２７における正面の左右両側縁に突き当たる突当部４２が、内方に直角曲げされて形成されている。
【００１６】
それとともに、同両側壁３９の取付端３５側の縁部からは、この側壁３９よりも少し背の高い一対の保持板４３が、取付壁２７における左右の外側面を丁度挟むことができる対応間隔を開けて突設されている。両保持板４３の突出端における内方の角は、テーパ状のガイド面４４とされている。これらの両保持板４３には、取付壁２７の左右の外側面に設けられた突片２８が緊密に嵌まる嵌合溝４５が切られている。また、保持板４３の内面における嵌合溝４５の上下の位置には、突片２８の上下に設けられた凹部２９に嵌まるがた詰め突部４６が形成されている。
【００１７】
一方の蓋カバー３２は、上記した本体カバー３１の底板３８とほぼ対称形状をなす文字通りの蓋板４８を有しており、本体カバー３１の側壁３９の突出端に当たって閉じられるようになっている。ただし、導出端３６側では、本体カバー３１側で側壁３９Ａの背が低くなった分を埋めるようにして側壁３９Ｂが形成されており、その導出端３６側の内面には、コルゲートチューブ１７の反対の面側の溝１７Ａ内に嵌まる同じく半円状の係止突条４０が３条対応して形成されている。
【００１８】
この蓋カバー３２は仰向けの姿勢となり、図６に示すように、それぞれ導出端３６を外に向けた対称姿勢で本体カバー３１と並んで成形され、蓋カバー３２の取付端３５側と、本体カバー３１の側壁３９の取付端３５側の隣接した縁部同士の間に帯状のヒンジ３３がわたされている。これにより蓋カバー３２は、本体カバー３１に対してヒンジ３３を屈曲させつつ開閉可能となっている。
蓋カバー３２が、本体カバー３１の開口に整合して閉じられるように、蓋板４８の裏面における取付端３５側の左右の両側縁と、傾斜縁のそれぞれ内側に少し入った位置には、差込片５０が形成されている。これらの差込片５０は、本体カバー３１における両側壁３９の取付端３５側の内面と、側壁３９の傾斜した部分の内面とにそれぞれ差し込み可能とされている。
【００１９】
本体カバー３１と蓋カバー３２との間には、両カバー３０を合体状態にロックするためのロック手段５２が合計４箇所に設定されている。
詳細には、本体カバー３１には、導出端３６側の両側壁３９Ａの外面、側壁３９の傾斜部分の外面及び取付端３５側におけるヒンジ３３が形成された側とは反対の側壁３９の外面の合計４箇所において、ロック突部５３，５３Ｌが形成されている。ロック突部５３，５３Ｌは、下面が切り立った係止面５４で、上面がテーパ状のガイド面５５となっている。なお、取付端３５側の側壁３９の外面に設けられたロック突部５３Ｌは、他の３個のロック突部５３よりも大きく形成されている。
【００２０】
一方、蓋カバー３２における対応した位置、すなわち導出端３６側の両側壁３９Ｂ、蓋板４８の傾斜縁及び蓋板４８の取付端３５側におけるヒンジ３３が形成された側とは反対側の縁部からは、それぞれロック片５７，５７Ｌが突設されている。各ロック片５７，５７Ｌは、相手の側壁３９，３９Ａの外面に沿って摺接可能であり、その突出端の内面の角はテーパ状のガイド面５８とされているとともに、対応するロック突部５３，５３Ｌが嵌まるロック孔５９が開口されている。
【００２１】
なお、本体カバー３１の取付端３５側の側壁３９に設けられた大きめのロック突部５３Ｌに嵌まるロック片５７Ｌは、対応して大きく形成されている。
本体カバー３１の底板３８と、蓋カバー３２の蓋板４８とのそれぞれの外面（表面）には、凹凸の施された滑り止め部６１が形成されている。また、同底板３８と蓋板４８とには、カバー３０内に浸入した水を排水すべく排水口６３が形成されており、ただし両排水口６３は、直接には外方に開口しないように目隠し状に形成されている。
【００２２】
本実施形態は上記のような構造であって、続いてその組み付けの手順を説明する。
まず、図１の矢線に示すように、電線１５の端末に固着された雌端子１０を、雌ハウジング２０の対応するキャビティ２３内に挿入する。ここで、雌ハウジング２０の後面から引き出された５本の電線１５は一束にまとめられ、その外周にコルゲートチューブ１７が嵌装される。
【００２３】
次に、雌ハウジング２０の後面にカバー３０が仮保持される。具体的には、図９に示すように、本体カバー３１を斜め姿勢として、先にヒンジ３３に近い側の保持板４３を、雌ハウジング２０の取付壁２７の対応する側面に当てつつ、嵌合溝４５内に突片２８を嵌める。
この状態から、本体カバー３１を同図の矢線方向に回動しつつ押し込むと、反対側の保持板４３が弾性的に開きつつ対応する突片２８に乗り上げ、本体カバー３１の突当部４２が取付壁２７の正面に突き当たるまで押し込まれると、図１０に示すように、反対側の保持板４３が復元変形しつつその嵌合溝４５内にも対応する突片２８が嵌まる。これにより、両保持板４３の嵌合溝４５に突片２８が正規に嵌まり、それとともに上下一対ずつのがた詰め突部４６も、突片２８の付け根の上下の凹部２９に嵌まることで（図１１参照）、本体カバー３１の取付端３５側が、雌ハウジング２０の取付壁２７に対してがたつき無く仮保持される。
【００２４】
このように本体カバー３１が仮保持されたら、図１１に示すように、一束にまとめられた電線１５を直角に曲げつつ本体カバー３１内に嵌めるとともに、コルゲートチューブ１７を手前側（同図の上側）に寄せて、手前側の端部の半周分を係止突条４０に嵌める。
最後に図１２に示すように、蓋カバー３２をヒンジ３３から本体カバー３１の上面に向けて折り返すと、差込片５０が側壁３９の内側に差し込まれるとともに、ロック片５７，５７Ｌが側壁３９，３９Ａの外面に沿って進んで、弾性的に開きつつロック突部５３，５３Ｌに乗り上げ、蓋カバー３２が本体カバー３１を正規に覆うまで折り返されると、図１３ないし図１５に示すように、ロック片５７，５７Ｌが復元変形しつつロック孔５９内に対応するロック突部５３，５３Ｌが嵌まり、両カバー３１，３２が合体状態にロックされる。併せて、コルゲートチューブ１７の残りの半周分が蓋カバー３２側の係止突条４０に嵌まる。
【００２５】
以上により組み付けが完了し、雌ハウジング２０の後面から引き出された電線１５は、カバー３０並びにコルゲートチューブ１７内を通りつつ直角に曲げられて、図１５に示すように、正面から見た右方向に導出される。
この状態から、両カバー３１，３２の滑り止め部６１を摘んで、雌ハウジング２０を相手の雄コネクタに嵌合する。
【００２６】
なお、雌ハウジング２０の後面から引き出された電線１５を、正面から見た左側に導出する場合は、図１６に示すように、本体カバー３１を表裏反転させた姿勢にして、既述した要領により雌ハウジング２０の取付壁２７に仮保持し、同様に電線１５を直角に曲げつつコルゲートチューブ１７とともに本体カバー３１内に嵌め、最後に蓋カバー３２を閉じてロックする。これにより電線１５は、カバー３０並びにコルゲートチューブ１７内を通りつつ逆に直角に曲げられて、図１７に示すように、正面から見た左方向に導出された状態となる。
【００２７】
以上説明したように本実施形態では、分割されたうちの一方の本体カバー３１を、雌ハウジング２０の取付壁２７に対して予め保持できる構造としたから、本体カバー３１を格別に支えていなくても、引き続いて引き出された電線１５並びにコルゲートチューブ１７を嵌めることと、蓋カバー３２を閉じてロックすることとを簡単にかつスムーズに行うことができる。特に横出しタイプでは、狭い場所で電線１５を直角に曲げて嵌める必要があるが、本体カバー３１が雌ハウジング２０に仮保持されていることで、手が有効に使えてスムーズに嵌めることができる。もって、カバー３０の取付作業を能率良く行うことができる。
【００２８】
また、本体カバー３１は、一対の保持板４３が取付壁２７の左右両側面を挟みつつ突片２８に嵌まることで保持されるのであるが、この保持板４３の設けられた付近に、本体カバー３１と蓋カバー３２とのロック手段５２の一つが設定されていて、このロック手段５２が保持板４３を押さえて開き止めすることに機能するから、言わば二重に保持されることになって、本体カバー３１、ひいてはカバー３０を雌ハウジング２０に対してより強固に取り付けることが可能となる。
【００２９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本体カバーと蓋カバーとは別体に形成されていてもよい。
（２）本発明は、雌ハウジングの後面から引き出された電線を、そのまま同方向に導出するストレートタイプのカバーについても、同様に適用することができる。
（３）また本発明は、雄コネクタにも適用可能であり、さらにはワイヤ−ワイヤのコネクタにも適用することが可能である。
【図面の簡単な説明】
【図１】本発明の一実施形態に係る雌ハウジングと雌端子の斜視図
【図２】雌ハウジングの正面図
【図３】同背面図
【図４】同平面図
【図５】カバーの成形状態の斜視図
【図６】同平面図
【図７】同底面図
【図８】同正面図
【図９】本体カバーの取付動作を示す一部切欠平面図
【図１０】本体カバーが雌ハウジングの後面に仮保持された状態を示す一部切欠平面図
【図１１】電線を本体カバー内に嵌めた状態を示す一部切欠平面図
【図１２】蓋カバーを閉じる動作を示す正面図
【図１３】両カバーが合体された状態の平面図
【図１４】同側面図
【図１５】同正面図
【図１６】電線の導出方向を左右逆とした場合における本体カバーが雌ハウジングの後面に仮保持された状態を示す一部切欠平面図
【図１７】同両カバーが合体された状態の平面図
【符号の説明】
１０…雌端子（端子金具）
１５…電線
１７…コルゲートチューブ
２０…雌ハウジング（コネクタハウジング）
２３…キャビティ
２３Ａ…（キャビティ２３の）入口
２７…取付壁
２８…突片
２９…凹部
３０…カバー
３１…本体カバー
３２…蓋カバー
３３…ヒンジ
３５…取付端
３６…導出端
３９，３９Ａ，３９Ｂ…側壁
４０…係止突条
４２…突当部
４３…保持板（保持手段）
４５…嵌合溝
４６…がた詰め突部
５２…ロック手段
５３，５３Ｌ…ロック突部
５７，５７Ｌ…ロック片
５９…ロック孔
【図１】
2004127813.tif 000003
【図２】
2004127813.tif 000004
【図３】
2004127813.tif 000005
【図４】
2004127813.tif 000006
【図５】
2004127813.tif 000007
【図６】
2004127813.tif 000008
【図７】
2004127813.tif 000009
【図８】
2004127813.tif 000010
【図９】
2004127813.tif 000011
【図１０】
2004127813.tif 000012
【図１１】
2004127813.tif 000013
【図１２】
2004127813.tif 000014
【図１３】
2004127813.tif 000015
【図１４】
2004127813.tif 000016
【図１５】
2004127813.tif 000017
【図１６】
2004127813.tif 000018
【図１７】
2004127813.tif 000019